【事件の表示】
　特願２０１８−５４２５９２「空気調和機の室外機および空気調和機」拒絶査定不服審判事件〔平成３０年　４月　５日国際公開、ＷＯ２０１８／０６２１７０〕について、次のとおり審決する。
【結　論】
　本件審判の請求は、成り立たない。
【理　由】
第１　手続の経緯
　本願は、２０１７年９月２６日（優先権主張２０１６年９月２７日、日本国）を国際出願日とする出願であって、令和１年９月５日付けで拒絶の理由が通知され、令和１年１１月１１日に意見書及び手続補正書が提出され、令和２年２月２８日付けで最後の拒絶の理由が通知され、令和２年４月３０日に意見書及び手続補正書が提出され、令和２年６月５日付け（発送日：令和２年６月１６日）で補正の却下の決定がなされるとともに拒絶査定がなされ、それに対して、令和２年９月１５日に拒絶査定不服審判の請求がなされると同時に手続補正がなされたものである。
第２　令和２年９月１５日にされた手続補正についての補正の却下の決定
［補正の却下の決定の結論］ 
　令和２年９月１５日にされた手続補正（以下「本件補正」という。）を却下する。 
［理由］ 
１　補正の内容 
（１）本件補正前の特許請求の範囲
　本件補正前の、令和１年１１月１１日に提出された手続補正書により補正された特許請求の範囲の請求項１の記載は次のとおりである。
「【請求項１】
　室外の空気と冷媒との間で熱交換する熱交換器と、
　前記熱交換器に対向して配置された送風ファンと、
　発熱素子が実装された電子基板と、
　内部を前記熱交換器および前記送風ファンが配置される熱交換器室と前記電子基板が配置される機械室とに仕切るとともに、一部に開口部が形成された仕切板を有する筐体と、
　前記仕切板の前記熱交換器室側から前記開口部を覆うように設けられた主片と、前記主片から前記送風ファン側に突出する複数の放熱フィンと、を有し、前記主片が前記開口部を通じて前記発熱素子と熱的に結合するヒートシンクと、を備え、
　前記複数の放熱フィンのうち、前記主片における、前記主片の前記発熱素子側の一面における前記発熱素子と接触する領域の前記主片の厚さ方向への投影領域に含まれる接触部位に基端部が接続されている放熱フィンは、前記接触部位以外の部位に基端部が接続されている前記放熱フィンのうち、前記接触部位に基端部が接続されている放熱フィンと隣接する放熱フィンよりも大きい、
　空気調和機の室外機。」
（２）本件補正後の特許請求の範囲
　本件補正により、特許請求の範囲の請求項１の記載は、次のとおり補正された（下線部は、補正箇所である。）。                                「【請求項１】
　室外の空気と冷媒との間で熱交換する熱交換器と、
　前記熱交換器に対向して配置された送風ファンと、
　発熱素子が実装された電子基板と、
　内部を前記熱交換器および前記送風ファンが配置される熱交換器室と前記電子基板が配置される機械室とに仕切るとともに、一部に開口部が形成された仕切板を有する筐体と、
　前記仕切板の前記熱交換器室側から前記開口部を覆うように設けられた主片と、前記主片から前記送風ファン側に突出する複数の放熱フィンと、を有し、前記主片が前記開口部を通じて前記発熱素子と熱的に結合するヒートシンクと、を備え、
　前記複数の放熱フィンのうち、前記主片における、前記主片の前記発熱素子側の一面における前記発熱素子と接触する領域の前記主片の厚さ方向への投影領域に含まれる接触部位に基端部が接続されている
複数の第１
の少なくとも１つ
前記複数の放熱フィンの中の
る第２
く、
　前記複数の第１放熱フィンの中で前記主片からの高さが最高である第１放熱フィンの高さは、前記接触部位に接触する前記発熱素子の発熱量が大きいほど高くなるように設定されている、
　空気調和機の室外機。」
（なお、令和２年４月３０日の手続補正は、令和２年６月５日付けの補正の却下の決定により却下された。）
２　補正の適否について 
　本件補正は、補正前の請求項１に記載した発明を特定するために必要な事項である「放熱フィン」に関して、補正前の「接触部位に基端部が接続されている放熱フィン」を「接触部位に基端部が接続されている
複数の第１
の少なくとも１つ
前記複数の放熱フィンの中の
る第２
前記複数の第１放熱フィンの中で前記主片からの高さが最高である第１放熱フィンの高さは、前記接触部位に接触する前記発熱素子の発熱量が大きいほど高くなるように設定されている
　上記のとおり、補正前の請求項１は、「接触部位に基端部が接続されている放熱フィン」と大きさを比較する放熱フィンとして「接触部位以外の部位に基端部が接続されている前記放熱フィンのうち、前記接触部位に基端部が接続されている放熱フィンと隣接する放熱フィン」と特定されているのに対し、補正後の請求項１は、「接触部位以外の部位に基端部が接続されている第２放熱フィン」と特定されているため、補正後の請求項１は「接触部位に基端部が接続されている放熱フィンと隣接する放熱フィン」以外の放熱フィンを含むことになる。
　したがって、本件補正は、特許請求の範囲の一部を拡張するものであるから、特許請求の範囲の減縮を目的とするものとはいえない。
　また、本件補正が、誤記の訂正や明瞭でない記載の釈明を目的とするものではなく、請求項の削除を目的とするものではないことは明らかである。
　そうすると、本件補正は、特許法第１７条の２第５項に掲げるいずれの事項を目的とするものでもない。
　よって、本件補正は、特許法第１７条の２第５項の規定に違反するから、同法１５９条第１項の規定において準用する同法５３条第１項の規定により却下すべきものである。
３　独立特許要件について 
　上記のとおり、本件補正は却下すべきものであるが、仮に本件補正が特許請求の範囲の減縮を目的とするものであって、特許法第１７条の２第５項の規定に適合するものとして、本件補正後の請求項１に記載された発明（以下「本願補正発明」という。）が特許出願の際独立して特許を受けることができるものであるか（特許法第１７条の２第６項において準用する同法第１２６条第７項の規定に適合するか）について、以下に検討する。 
　　 　 
（１）引用例１ 
　原査定の拒絶の理由に引用文献１として引用された特開２０１５−４８９９０号公報には、図面とともに以下の事項が記載されている（下線は当審にて付したものである。）。
　　　
（１−ａ）「【課題を解決するための手段】
【０００６】
　上記課題を解決するため、本発明の空気調和機の室外機は、外胴で囲まれた室外機本体内を仕切板により送風機室と機械室に区画し、送風機室内には背面側に熱交換器を配置し、外胴の前面に吹出口を設け、熱交換器と吹出口とをつなぐ送風路を形成し、送風路内に送風ファンを配置し、機械室には上部に電装品箱を配置し電装品箱と接する仕切板の送風機室側面で送風路外に電装品箱内の電装部品を冷却するヒートシンクを配置し、外胴の前面にヒートシンクに外気を導入する導入部を設けたものにおいて、導入部とヒートシンクを繋ぐダクトを形成する導風カバーを設けたことを特徴とする。」
（１−ｂ）「【００１０】
　本発明による
空気調和機の室外機
【００１１】
　室外機１は、図１に示すように、外郭を構成する外胴１０は略直方体形状であり、
　前面パネル２には後述する送風ファン５１から吹き出される空気を吹き出す吹出口１４が開口し、この吹出口１４はファンガード１５で覆われている。
　メンテナンスパネル１２は、図２に示すように、背面側まで回り込み、後述する機械室４に外気を取り込む吸気孔１６が設けられている。
　・・・
【００１３】
　外胴１０の内部は、図１に示すベース１１に図７に示す仕切板３を立設し、図３に示す図示しない圧縮機およびアキュムレータが設けられた機械室４と、図３、図５に示す熱交換器５０および送風ファン５１が設けられた送風機室５とに区画されている。
仕切板３と電装品箱仕切板３０で外胴１０の内部を天板１３の高さまで仕切っている。
　・・・
【００１７】
　以上の構成により、送風ファン５１の回転により
吸込口１８から吸い込まれた空気は、熱交換器５０で冷媒と熱交換
（１−ｃ）「【００１８】
　機械室４内には、図３と図４に示すように、図示しない圧縮機の上部で電装品箱仕切板３０の対面に電装部品を備える電装品箱６が配置される。この電装部品には、
電装品箱仕切板３０の機械室側に配置されコンデンサ６２を備えたインバーター基板６３と、インバーター基板６３の上でヒートシンク取付板６４によって電装品箱仕切板３０に取付けられるパワーモジュール６５
【００１９】
　また、図４に示すヒートシンク取付板６４のパワーモジュール６５とリアクター６６の上方に、電装品箱６内の熱を送風機室５側へ排出するため、上方と電装品箱仕切板３０側が開口した箱状の排気口３１が２カ所設けられている。排気口３１の送風機室５側には排気口３１から電装品箱６内に雨水やドレン水の侵入を防ぐ箱状の遮水蓋６０が設けられており、電装部品から発熱された熱は、送風ファン５１に引かれてメンテナンスパネル１２の吸気孔１６から取り込まれた外気により排気口３１から遮水蓋６０を通り送風機室５へ排気される。
【００２０】
　図３および図５に示すように、
電装品箱仕切板３０の送風機室５側の面であって、発熱部品であるパワーモジュール６５やインバーター基板６３の対面には、それぞれを冷却するための複数のフィン７０が上下方向に平行に配置されたヒートシンク７を備える。パワーモジュール用の第１ヒートシンク７１は遮水蓋６０の下部でヒートシンク取付板６４と電装品箱仕切板３０に設けた図４に示す開口部６７から送風機室５側へ臨ませて配置され、インバーター基板用の第２ヒートシンク７２は電装品箱仕切板３０の中央に設けた図示しない開口部から送風機室５側へ臨ませて配置される。
【００２１】
　第２ヒートシンク７２は、送風ファン５１近くで送風路５２内に配置されているため、送風ファン５１に導かれ熱交換器５０を通って導入された外気の一部が第２ヒートシンク７２に当たったのち、吹出口１４から外部に吐き出されることで放熱される。
　一方、第１ヒートシンク７１は、第２ヒートシンク７２よりも上方で、送風路５２外の位置、つまり、送風ファン５１に導かれ熱交換器５０を通って導入された外気の流れに晒されない位置に配置されている。」
（１−ｄ）「図５
　　　　　　　　　　　　　　　　　　　　　　　　　　　　」
「　図６
　」
（１−ｅ）図５には、
熱交換器５０に対向して配置された送風ファン５１
　また、図６の「第１ヒートシンク７１」及び「第２ヒートシンク７２」は、複数のフィン７０の間を指しており、複数のフィン７０の間にヒートシンクを構成する部材があることが把握できる。
（１−ｆ）段落【００１３】には、「外胴１０の内部は、・・・仕切板３を立設し、図３に示す図示しない圧縮機およびアキュムレータが設けられた機械室４と、図３、図５に示す熱交換器５０および送風ファン５１が設けられた送風機室５とに区画されている。・・・仕切板３と電装品箱仕切板３０で外胴１０の内部を天板１３の高さまで仕切っている。」と記載され、段落【００１８】には、「機械室４内には、・・・電装部品を備える電装品箱６が配置される。この電装部品には、・・・インバーター基板６３と、・・・パワーモジュール６５とリアクター６６等がある。」と記載され、段落【００２０】には、「電装品箱仕切板３０に設けた図４に示す開口部６７」と記載されている。
　よって、引用例１には、
内部を熱交換器５０および送風ファン５１が配置される送風機室５と前記インバーター基板６３とパワーモジュール６５が配置される機械室４とに仕切る仕切り板３と、開口部が形成された電装品箱仕切板３０とを有する外胴１０
　上記（１−ａ）〜（１−ｆ）の事項を総合すると、引用例１には、次の発明が記載されていると認められる（以下「引用発明」という。）。
「吸込口１８から吸い込まれた空気と冷媒とを熱交換する熱交換器５０と、
　熱交換器５０に対向して配置された送風ファン５１と、
　電装品箱仕切板３０の機械室側に配置されるインバーター基板６３と、インバーター基板６３の上で電装品箱仕切板３０に取り付けられるパワーモジュール６５と、
　内部を熱交換器５０および送風ファン５１が配置される送風機室５と前記インバーター基板６３とパワーモジュール６５が配置される機械室４とに仕切る仕切り板３と、開口部が形成された電装品箱仕切板３０とを有する外胴１０と、
　電装品箱仕切板３０の送風機室５側の面であって、発熱部品であるパワーモジュール６５やインバーター基板６３の対面には、それぞれを冷却するための複数のフィン７０が上下方向に平行に配置されたヒートシンク７と、を備え、
　パワーモジュール６５用の第１ヒートシンク７１は電装品箱仕切板３０に設けた開口部６７から送風機室５側へ臨ませて配置され、インバーター基板６３用の第２ヒートシンク７２は電装品箱仕切板３０の中央に設けた開口部から送風機室５側へ臨ませて配置される、
　空気調和機の室外機。」
（２）引用例２ 
　原査定の拒絶の理由に引用文献４として引用された特開２０００−２２３６３号公報には、図面とともに以下の事項が記載されている
（２−ａ）「【０００１】
【発明の属する技術分野】本発明は、
電気回路素子から発生する熱を放散させる放熱フィン
空気調和機
　・・・
【０００５】
【発明が解決しようとする課題】ところで、前記室外ユニットには、当該室外ユニットに関する動作制御等を行うコントロールボックスが備えられている。このコントロールボックスは、各種電気回路素子で構成されているが、その中で中心的な役割を担うものの一つが、パワートランジスタである。
【０００６】このパワートランジスタは運転時に多量の熱を発生する。この熱を放置しておくとパワートランジスタ自身の動作不良を招くばかりでなく、周囲の電気回路素子にも悪影響を与える。したがって、熱を放散させるような手段が必要となる。パワートランジスタには、この熱の放散を目的として、放熱フィンが備えられている。
放熱フィンとは、図４に示すように、パワートランジスタＰ面に密着する基礎板１と、この基礎板１上に立設された複数の主放熱板２とを備えた構成となっている。
（２−ｂ）「図４
　　　　　　　　　　　　　　　　　　　　　　　　　　」
　上記（２−ａ）、（２−ｂ）の事項を総合すると、引用例２には、次の事項が記載されていると認められる（以下「引用例２記載の事項１」という。）。
「基礎板１に立設された複数の主放熱板２を備えた放熱フィンにおいて、パワートランジスタＰと接触する領域の主放熱板２の少なくとも１つは、上記接触する領域以外の主放熱板２よりも大きく構成された空気調和機の放熱フィン。」
　また、引用例２には、次の事項も記載されていると認められる（以下「引用例２記載の事項２」という。）。
「基礎板１に立設された複数の主放熱板２を備えた放熱フィンにおいて、パワートランジスタＰと接触する領域の主放熱板２は、上記接触する領域以外の主放熱板２のうち、接触する領域に隣接する主放熱板２よりも大きく構成された空気調和機の放熱フィン。」
（３）対比 
　本願補正発明と引用発明とを対比する。
ア　引用発明は「空気調和機の室外機」に関するものであるから、引用発明の「吸込口１８から吸い込まれた空気」は、本願補正発明の「室外の空気」に相当する。
　よって、引用発明の「吸込口１８から吸い込まれた空気と冷媒とを熱交換する熱交換器５０」は、本願補正発明の「室外の空気と冷媒との間で熱交換する熱交換器」に相当する。
イ　引用発明の「熱交換器５０に対向して配置された送風ファン５１」は、本願補正発明の「熱交換器に対向して配置された送風ファン」に相当する。
ウ　引用発明において「パワーモジュール６５」や「インバーター基板６３」は発熱部品であるから、引用発明の「電装品箱仕切板３０の機械室側に配置されるインバーター基板６３と、インバーター基板６３の上で電装品箱仕切板３０に取り付けられるパワーモジュール６５」は、本願補正発明の「発熱素子が実装された電子基板」に相当する。
エ　引用発明の「送風機室５」、「機械室４」、「外胴１０」は、それぞれ、本願補正発明の「熱交換器室」、「機械室」、「筐体」に相当する。また、引用発明の「仕切り板３」及び「電装品箱仕切板３０」は、本願補正発明の「仕切板」に相当する。
　よって、引用発明の「内部を熱交換器５０および送風ファン５１が配置される送風機室５と前記インバーター基板６３とパワーモジュール６５が配置される機械室４とに仕切る仕切り板３と、開口部が形成された電装品箱仕切板３０とを有する外胴１０」は、本願補正発明の「内部を前記熱交換器および前記送風ファンが配置される熱交換器室と前記電子基板が配置される機械室とに仕切るとともに、一部に開口部が形成された仕切板を有する筐体」に相当する。
オ　引用発明の「複数のフィン７０が上下方向に平行に配置されたヒートシンク７」について、フィン７０を平行に配置するためには、ヒートシンク７の複数のフィン７０の間に設けられた部材（すなわち、本願補正発明の「主片」に相当する部材）を有していることは明らかである（図６参照）。
　また、引用発明において「第１ヒートシンク７１は電装品箱仕切板３０に設けた開口部６７から送風機室５側へ臨ませて配置され」、「第２ヒートシンク７２は電装品箱仕切板３０の中央に設けた開口部から送風機室５側へ臨ませて配置され」るから、「第１ヒートシンク７１」及び「第２ヒートシンク７２」（の主片）は、電装品箱仕切板３０の送風機室５側から開口部を覆うように設けられているといえる。
　さらに、引用発明においては、「パワーモジュール６５」及び「インバーター基板６３」の対面には「ヒートシンク７」である「第１ヒートシンク７１」及び「第２ヒートシンク７２」が開口部を覆うように設けられているから、「第１ヒートシンク７１」及び「第２ヒートシンク７２」（の主片）は、開口部を通じて発熱部品である「パワーモジュール６５」や「インバーター基板６３」と熱的に結合するといえる。
　よって、引用発明の「電装品箱仕切板３０の送風機室５側の面であって、発熱部品であるパワーモジュール６５やインバーター基板６３の対面には、それぞれを冷却するための複数のフィン７０が上下方向に平行に配置されたヒートシンク７と、を備え、パワーモジュール６５用の第１ヒートシンク７１は電装品箱仕切板３０に設けた開口部６７から送風機室５側へ臨ませて配置され、インバーター基板６３用の第２ヒートシンク７２は電装品箱仕切板３０の中央に設けた開口部から送風機室５側へ臨ませて配置される」点は、
本願補正発明の「仕切板の熱交換器室側から開口部を覆うように設けられた主片と、前記主片から前記送風ファン側に突出する複数の放熱フィンと、を有し、前記主片が前記開口部を通じて前記発熱素子と熱的に結合するヒートシンクと、を備え」る点に相当する。
　したがって、本願補正発明と引用発明とは、
「室外の空気と冷媒との間で熱交換する熱交換器と、
　前記熱交換器に対向して配置された送風ファンと、
　発熱素子が実装された電子基板と、
　内部を前記熱交換器および前記送風ファンが配置される熱交換器室と前記電子基板が配置される機械室とに仕切るとともに、一部に開口部が形成された仕切板を有する筐体と、
　前記仕切板の前記熱交換器室側から前記開口部を覆うように設けられた主片と、前記主片から前記送風ファン側に突出する複数の放熱フィンと、を有し、前記主片が前記開口部を通じて前記発熱素子と熱的に結合するヒートシンクと、を備えた空気調和機の室外機。」
　である点で一致し、以下の点で相違する。
［相違点１］
　本願補正発明は、「複数の放熱フィンのうち、主片における、前記主片の発熱素子側の一面における前記発熱素子と接触する領域の前記主片の厚さ方向への投影領域に含まれる接触部位に基端部が接続されている複数の第１放熱フィンの少なくとも１つは、前記複数の放熱フィンの中の前記接触部位以外の部位に基端部が接続されている第２放熱フィンよりも大き」いのに対し、引用発明は、そのように構成されていない点。
［相違点２］
　本願補正発明は、「複数の第１放熱フィンの中で主片からの高さが最高である第１放熱フィンの高さは、接触部位に接触する前記発熱素子の発熱量が大きいほど高くなるように設定されている」のに対し、引用発明は、そのように構成されていない点。
（４）判断
ア　上記［相違点１］について検討する。
　引用例２記載の事項１の「基礎板１」、「パワートランジスタＰと接触する領域の主放熱板２」、「接触する領域以外の主放熱板２」は、本願補正発明の「主片」、「第１放熱フィン」、「第２放熱フィン」にそれぞれ相当する。
　そうすると、引用例２記載の事項１は、本願補正発明の「複数の放熱フィンのうち、主片における、前記主片の発熱素子側の一面における前記発熱素子と接触する領域の前記主片の厚さ方向への投影領域に含まれる接触部位に基端部が接続されている複数の第１放熱フィンの少なくとも１つは、前記複数の放熱フィンの中の前記接触部位以外の部位に基端部が接続されている第２放熱フィンよりも大き」い点に対応する構成を備えるものといえる。
　そして、引用発明と引用例２記載の事項１とは、共に、空気調和機に設けられた電気回路素子の熱を放散するヒートシンクの放熱フィンに関する技術である点で共通する。
　よって、引用発明のフィン７０に引用例２記載の事項１を適用し、上記相違点１に係る本願補正発明の構成とすることは当業者が容易になし得たことである。
イ　上記［相違点２］について検討する。
　ヒートシンクを構成する放熱フィンの高さを、発熱量が大きい発熱素子が設けられた領域ほど高くすることは、周知の技術である。
（例えば、令和１年９月５日付けの拒絶理由通知において引用文献２として引用した特開２０１６−６６６３９号公報の段落【００１１】〜【００１５】、図１Ａに記載された、第２発熱部品４の発熱量が第１発熱部品３の発熱量よりも大きい場合に、第２フィン２２を第１フィン２１より長くした点、特開２００４−４７９９８号公報の段落【００１８】、図２に記載された第１の電子部品２１は低温で作動し、部品２２はより高温で作動するものにおいて、第１のフィン構造１２よりも第２のフィン構造１３を高くした点を参照のこと。）
　そして、引用発明は、パワーモジュール６５やインバーター基板６３といった発熱素子を有するものであるから、引用発明に周知の技術を適用し、ヒートシンクにおける発熱素子が設けられた領域において、発熱量が大きい発熱素子が設けられた領域ほどヒートシンクの放熱フィンの高さを高くなるように構成し、上記相違点２に係る本願補正発明の構成とすることは当業者が容易になし得たことである。
ウ　請求人の主張について
　請求人は、審判請求書において「従って、当業者であれば、引用文献１に記載された発明に引用文献３、４に記載された技術を適用したところで、通常、第１ヒートシンク７１または第２ヒートシンク７２におけるインバーター基板６３またはパワーモジュール６５が固定された部分に対応するフィンの高さは、インバーター基板６３およびパワーモジュール６５の発熱量とは無関係に設定された構成にしか想到し得ないものと思料する。
　つまり、文献１では、例えば第１ヒートシンク７１に固定されるパワーモジュール６５の発熱量が、第２ヒートシンク７２に固定されるインバーター基板６３の発熱量よりも大きくても、第１ヒートシンク７１の配置スペースが第１ヒートシンク７１の前面に設けられた導風カバー８で制約されるため、第１ヒートシンク７１のフィンの高さは、第２ヒートシンク７２のフィンの高さよりも低く設定されるものと思料する。そして、第２ヒートシンク７２のフィンの高さは、第２ヒートシンク７２の前面側のスペースに余裕が有る限り、放熱性を優先して高く設定されるものと思料する。
　そして、たとえ当業者であっても、引用文献１、３、４を参照した限りでは、請求項１の発明のような、『前記複数の第１放熱フィンの中で前記主片からの高さが最高である第１放熱フィンの高さは、前記接触部位に接触する前記発熱素子の発熱量が大きいほど高くなるように設定されている』構成には容易に想到し得ないものと思料する。」と主張する（「（３−３−１）請求項１について」）。
　しかしながら、上記（４）イで検討したとおり、ヒートシンクを構成する放熱フィンの高さを、発熱量が大きい発熱素子が設けられた領域ほど高くすることは、周知の技術である。
　そして、インバーター基板６３またはパワーモジュール６５が固定された部分にスペースの制約があったとしても、許容される範囲の中で放熱フィンの高さを変更することは、当業者が適宜なし得ることである。
　したがって、請求人の主張は採用できない。
　なお、請求人は、令和２年１２月１５日提出の上申書において補正案を示しているが、１つの発熱素子の接触部位に基端部が接続されている複数の第１放熱フィンのうちの１つの第１放熱フィンの高さを他の少なくとも１つの第１放熱フィンの高さと異なるように構成した点に格別な技術的意義を見いだすことはできず、当該補正案に基づいて補正をしたとしても進歩性を有するとは認められない。
　よって、審判請求書における請求人の主張及び令和２年１２月１５日提出の上申書における請求人の主張及び補正案は採用できない。
（５）まとめ 
　以上のように、本願補正発明は、引用発明、引用例２記載の事項１及び周知の技術に基いて当業者が容易に発明をすることができたものであるから、特許法第２９条第２項の規定により、特許出願の際独立して特許を受けることができない。 
　　 　 
４　むすび 
　したがって、本件補正は、特許法第１７条の２第５項の規定に違反するから、同法１５９条第１項の規定において準用する同法５３条第１項の規定により却下すべきものである。
　また、仮にそうでなくても、本件補正は、特許法第１７条の２第６項において準用する同法第１２６条第７項の規定に違反するので、同法第１５９条第１項において準用する同法第５３条第１項の規定により却下すべきものである。 
　よって、上記補正の却下の決定の結論のとおり決定する。
　　 　 
第３　本願発明について 
１　本願発明 
　本件補正は上記のとおり却下されたので、本願の請求項１〜６に係る発明は、令和１年１１月１１日に提出された手続補正書により補正された特許請求の範囲の請求項１〜６に記載されたとおりのものであるところ、その請求項１に係る発明（以下「本願発明」という。）は、前記「第２［理由］１（１）」に記載のとおりのものである。
２　原査定の拒絶の理由
　原査定の拒絶の理由は、次の理由を含むものである。
　この出願の請求項１に係る発明は、その優先日前に日本国内又は外国において、頒布された下記の刊行物に記載された発明又は電気通信回線を通じて公衆に利用可能となった発明に基いて、その優先日前にその発明の属する技術の分野における通常の知識を有する者が容易に発明をすることができたものであるから、特許法第２９条第２項の規定により特許を受けることができない。
　引用文献１：特開２０１５−４８９９０号公報（引用例１）
　引用文献４：特開２０００−２２３６３号公報（引用例２）
　
３　引用例
　引用例１、２及びその記載事項は、前記「第２［理由］３（１）（２）」に記載したとおりである。 
４　対比・判断 
　本願発明と引用発明とを対比する。
　上記「第２［理由］３（３）」における検討を踏まえると、本願発明と引用発明とは、
「室外の空気と冷媒との間で熱交換する熱交換器と、
　前記熱交換器に対向して配置された送風ファンと、
　発熱素子が実装された電子基板と、
　内部を前記熱交換器および前記送風ファンが配置される熱交換器室と前記電子基板が配置される機械室とに仕切るとともに、一部に開口部が形成された仕切板を有する筐体と、
　前記仕切板の前記熱交換器室側から前記開口部を覆うように設けられた主片と、前記主片から前記送風ファン側に突出する複数の放熱フィンと、を有し、前記主片が前記開口部を通じて前記発熱素子と熱的に結合するヒートシンクと、を備えた空気調和機の室外機。」
　である点で一致し、以下の点で相違する。
［相違点３］
　本願発明は、「前記複数の放熱フィンのうち、前記主片における、前記主片の発熱素子側の一面における前記発熱素子と接触する領域の前記主片の厚さ方向への投影領域に含まれる接触部位に基端部が接続されている放熱フィンは、前記接触部位以外の部位に基端部が接続されている前記放熱フィンのうち、前記接触部位に基端部が接続されている放熱フィンと隣接する放熱フィンよりも大きい」のに対し、引用発明は、そのように構成されていない点。
　上記相違点３について検討する。
　引用例２記載の事項２の「基礎板１」、「パワートランジスタＰと接触する領域の主放熱板２」、「接触する領域以外の主放熱板２」は、本願発明の「主片」、「第１放熱フィン」、「第２放熱フィン」にそれぞれ相当する。
　そうすると、引用例２記載の事項２は、本願発明の「複数の放熱フィンのうち、主片における、前記主片の発熱素子側の一面における前記発熱素子と接触する領域の前記主片の厚さ方向への投影領域に含まれる接触部位に基端部が接続されている放熱フィンは、前記接触部位以外の部位に基端部が接続されている前記放熱フィンのうち、前記接触部位に基端部が接続されている放熱フィンと隣接する放熱フィンよりも大きい」に対応する構成を備えるものといえる。
　したがって、引用発明のフィン７０に引用例２記載の事項２を適用し、上記相違点３に係る本願発明の構成とすることは当業者が容易になし得たことである。
　よって、本願発明は、引用発明及び引用例２記載の事項２に基いて当業者が容易に発明をすることができたものである。
５　むすび 
　以上のとおりであるから、本願発明は、特許法第２９条第２項に該当し、特許を受けることができない。 
　したがって、他の請求項について検討するまでもなく、本願は、拒絶されるべきものである。 
　よって、結論のとおり審決する。